(57)【特許請求の範囲】
【請求項１】
被選別コンデンサの温度を測定する工程と、
コンデンサの温度特性データと測定された前記温度とに基づいて、前記被選別コンデンサの所定の電気特性の選別しきい値を設定する工程と、
前記被選別コンデンサの所定の電気特性を測定する工程と、
前記被選別コンデンサの電気特性の測定数値と前記選別しきい値との比較に基づいて、前記被選別コンデンサを選別する工程と、
を有するコンデンサ選別方法であって、
前記被選別コンデンサの所定の電気特性の選別しきい値を設定する工程は、前記コンデンサの温度特性データに基づき、温度特性傾きに応じたステップ幅で複数の温域を設定するステップと、前記温域ごとに前記コンデンサの温度特性データに基づき上限値および下限値を設定して、選別しきい値とするステップとを備えていること、
を特徴とするコンデンサ選別方法。
【請求項２】
被選別コンデンサの所定の電気特性を測定するための測定端子の温度又は該測定端子近傍の温度のいずれか一つの温度を測定する工程と、
コンデンサの温度特性データと測定された前記温度とに基づいて、前記被選別コンデンサの所定の電気特性の選別しきい値を設定する工程と、
前記被選別コンデンサの所定の電気特性を測定する工程と、
前記被選別コンデンサの電気特性の測定数値と前記選別しきい値との比較に基づいて、前記被選別コンデンサを選別する工程と、
を有するコンデンサ選別方法であって、
前記被選別コンデンサの所定の電気特性の選別しきい値を設定する工程は、前記コンデンサの温度特性データに基づき、温度特性傾きに応じたステップ幅で複数の温域を設定するステップと、前記温域ごとに前記コンデンサの温度特性データに基づき上限値および下限値を設定して、選別しきい値とするステップとを備えていること、
を特徴とするコンデンサ選別方法。
【請求項３】
被選別コンデンサの所定の電気特性を測定する前に、前記温度を測定することを特徴とする請求項１又は請求項２記載のコンデンサ選別方法。
【請求項４】
被選別コンデンサの所定の電気特性を測定しながら、前記温度を測定することを特徴とする請求項１又は請求項２記載のコンデンサ選別方法。
【請求項５】
前記温度の測定を非接触式温度計により行うことを特徴とする請求項１ないし請求項４記載のコンデンサ選別方法。
【請求項６】
前記温度の測定を常時行い、測定された前記温度に応じてリアルタイムで前記選別しきい値を設定することを特徴とする請求項１ないし請求項５記載のコンデンサ選別方法。
【請求項７】
前記温度の測定を所定の間隔毎に行い、測定された前記温度に応じて所定の間隔で前記選別しきい値を設定することを特徴とする請求項１ないし請求項５記載のコンデンサ選別方法。
【請求項８】
前記被選別コンデンサの所定の電気特性が、静電容量特性、誘電損失特性および絶縁抵抗特性の少なくともいずれか一つであることを特徴とする請求項１ないし請求項７記載のコンデンサ選別方法。
【請求項９】
被選別コンデンサの温度、被選別コンデンサの所定の電気特性を測定するための測定端子の温度及び該測定端子近傍の温度のいずれか一つの温度を測定する温度測定器と、
コンデンサの温度特性データを予め記憶するための記憶装置と、
前記コンデンサの温度特性データと前記温度測定器によって測定された前記温度とに基づいて、前記被選別コンデンサの所定の電気特性の選別しきい値を自動設定する演算処理装置と、
前記被選別コンデンサの所定の電気特性を測定する電気特性測定部と、
前記被選別コンデンサの電気特性の測定数値と前記選別しきい値との比較に基づいて、前記被選別コンデンサを選別する特性選別部と、
を有するコンデンサ選別装置であって、
前記被選別コンデンサの所定の電気特性の選別しきい値を設定する演算処理装置は、前記コンデンサの温度特性データに基づき、温度特性傾きに応じたステップ幅で複数の温域を設定し、前記温域ごとに前記コンデンサの温度特性データに基づき上限値および下限値を設定して、選別しきい値とすること、
を特徴とするコンデンサ選別装置。
【発明の詳細な説明】
【０００１】
【発明の属する技術分野】
本発明は、コンデンサ選別方法及びコンデンサ選別装置に関する。
【０００２】
【従来の技術】
近年、パーソナルコンピュータや携帯電話などの携帯機器の普及に伴い、それに使用される電子部品の需要も急速に拡大しており、これに対応するため、電子部品の製造メーカでは、製造工程の自動化ばかりでなく、検査、選別工程の自動化を図り、電子部品の製造から検査および選別までの工程を合理化することが行われている。
【０００３】
例えばコンデンサの場合、製造工程から送られてきた製品は、選別工程にて、静電容量、誘電損失および絶縁抵抗等が予め定められた偏差内にあるか否かを、検査して不良品と製品とに自動選別している。
【０００４】
従来のこの種のコンデンサ選別装置の一例を図９に示す。該コンデンサ選別装置３０は、製造されたコンデンサを整列して供給する整列供給部３１、該整列供給部３１から供給されたコンデンサの静電容量、誘電損失および絶縁抵抗等を測定する特性測定部３２、特性測定部３２にて測定された測定値が予めセットされた所定の許容誤差範囲内にあるか否かを判定するメータ３３、メータ３３での判定結果に基づいて良品と不良品とに選別する特性選別部３４とから構成されている。
【０００５】
ところで、コンデンサの静電容量、誘電損失および絶縁抵抗等は、その値が一般に温度により変化するので、整列供給部３１、特性測定部３２、メータ３３及び特性選別部３４は、内部の温度が規定の温度となるように厳密に制御された専用ブース３５内に配置するか、専用の空調設備により規定の温度に厳密に制御された専用の部屋にまとめて設置するようにしていた。
【０００６】
【発明が解決しようとする課題】
前記のように、従来のコンデンサ選別装置３０では、温度が厳密に制御された専用ブース３５や専用の部屋およびその空調設備を必要とするので、製品の検査および選別のための設備コストやその維持管理のための運用コストが高くなり、それに伴って製品の単価も高くなり、合理化が進まないという問題があった。
【０００７】
そこで、本発明の目的は、製品の選別コストの削減を図ることができるコンデンサ選別方法及びコンデンサ選別装置を提供することにある。
【０００８】
【課題を解決するための手段及び作用】
前記目的を達成するため、本発明に係るコンデンサ選別方法は、
被選別コンデンサの温度や、被選別コンデンサの所定の電気特性を測定するための測定端子の温度や、該測定端子近傍の温度のいずれか一つの温度を測定する工程と、
コンデンサの温度特性データと測定された前記温度とに基づいて、前記被選別コンデンサの所定の電気特性の選別しきい値を設定する工程と、
前記被選別コンデンサの所定の電気特性を測定する工程と、
前記被選別コンデンサの電気特性の測定数値と前記選別しきい値との比較に基づいて、前記被選別コンデンサを選別する工程と、
を有するコンデンサ選別方法であって、
前記被選別コンデンサの所定の電気特性の選別しきい値を設定する工程は、前記コンデンサの温度特性データに基づき、温度特性傾きに応じたステップ幅で複数の温域を設定するステップと、前記温域ごとに前記コンデンサの温度特性データに基づき上限値および下限値を設定して、選別しきい値とするステップとを備えていること、
を特徴とする。
【０００９】
ここに、前記温度の測定は、被選別コンデンサの所定の電気特性を測定する前や、被選別コンデンサの所定の電気特性を測定しながら行うことが好ましい。また、被選別コンデンサの所定の電気特性としては、静電容量特性、誘電損失特性、あるいは絶縁抵抗特性などがある。
【００１０】
以上の方法により、測定された前記温度と、コンデンサの温度特性データとに基づいて選別しきい値を設定し、この設定された選別しきい値を基準にしてコンデンサを選別する。これにより、温度が厳密に制御された専用ブースや部屋および専用の空調設備が不要になる。
【００１１】
さらに、前記温度の測定を常時行い、測定された前記温度に応じてリアルタイムで選別しきい値を設定したり、あるいは、前記温度の測定を所定の間隔毎に行い、測定された前記温度に応じて所定の間隔で選別しきい値を設定してもよい。これにより、選別しきい値の更新のタイミングを、適切に選択することができる。
【００１２】
また、本発明に係るコンデンサ選別装置は、
被選別コンデンサの温度、被選別コンデンサの所定の電気特性を測定するための測定端子の温度及び該測定端子近傍の温度のいずれか一つの温度を測定する温度測定器と、
コンデンサの温度特性データを予め記憶するための記憶装置と、
前記コンデンサの温度特性データと前記温度測定器によって測定された前記温度とに基づいて、前記被選別コンデンサの所定の電気特性の選別しきい値を自動設定する演算処理装置と、
前記被選別コンデンサの所定の電気特性を測定する電気特性測定部と、
前記被選別コンデンサの電気特性の測定数値と前記選別しきい値との比較に基づいて、前記被選別コンデンサを選別する特性選別部と、
を有するコンデンサ選別装置であって、
前記被選別コンデンサの所定の電気特性の選別しきい値を設定する演算処理装置は、前記コンデンサの温度特性データに基づき、温度特性傾きに応じたステップ幅で複数の温域を設定し、前記温域ごとに前記コンデンサの温度特性データに基づき上限値および下限値を設定して、選別しきい値とすること、
を特徴とする。
【００１３】
以上の構成により、選別しきい値が自動設定され、測定温度の変化による選別しきい値の修正が自動で行われるため、人手による選別しきい値の設定および修正作業が不要になる。また、前記温度測定器に非接触式温度計を用いるようにすれば、温度計の設置位置の自由度が高くなり、温度測定も簡単かつ確実になる。
【００１４】
【発明の実施の形態】
以下、本発明に係るコンデンサ選別方法及びコンデンサ選別装置の実施の形態について添付の図面を参照して説明する。
【００１５】
［第１実施形態、図１〜図５］
本発明に係るコンデンサ選別装置の一つの実施形態の構成を図１に示す。該コンデンサ選別装置１０は、製造されたコンデンサを整列して供給する整列供給部１１と、該整列供給部１１から供給されるコンデンサの静電容量、誘電損失および絶縁抵抗等の測定項目を測定する特性測定部１２と、該特性測定部１２にて測定された測定結果に基づいてコンデンサを不良品と製品（良品）に選別する特性選別部１３と、コンデンサの温度を測定する温度測定器２１と、演算処理装置２２と、ハードディスク等の記憶装置２３と、メータ、プリンタ、ＣＲＴディスプレイ等の出力装置２４とからなる。
【００１６】
温度測定器２１としては、たとえば熱電対を使用した接触式の温度センサや、赤外線強度を温度に変換する赤外線放射温度計等の非接触式の温度センサを使用することができ、これら温度センサの中から温度に対する応答性や設置スペース上の制約等を考慮して選択される。
【００１７】
温度測定器２１の配置例を図２に示す。図２には、熱電対２１ａを使用した接触式の温度測定器２１が示されている。該温度測定器２１は、振動により被選別コンデンサｗを整列させるパーツフィーダ（整列供給部）１１内に配置されている。そして、被選別コンデンサｗの搬送の妨げにならないように、熱電対２１ａの先端部をパーツフィーダ１１内の被選別コンデンサｗの山の中に配置して、被選別コンデンサｗの温度を測定する。温度測定器２１で測定された温度データは、図１の演算処理装置２２に読み込まれる。
【００１８】
ところで、既に述べたように、コンデンサは温度によりその静電容量、誘電損失、絶縁抵抗等が変化する。このため、本実施形態では、前記のように被選別コンデンサｗの温度を測定し、その結果に基づいて、記憶装置２３に予め記憶させておいたコンデンサの温度特性データを参照して、選別しきい値を設定するようにしている。
【００１９】
ここに、記憶装置２３に記憶されている温度特性データは次のようにして求められる。すなわち、製品からたとえば５０〜１００個のサンプルを抽出し、各サンプルについてその静電容量の温度特性、誘電体損失の温度特性、絶縁抵抗の温度特性をそれぞれ測定し、その測定結果を統計処理する。この統計処理により得られた静電容量の温度特性曲線Ｌ１の例を図３に示す。
【００２０】
次に、この温度特性曲線Ｌ１に基づいて、温度毎の狙いセンター値を決定する。例えば、曲線Ｌ１より、温度がｔ１℃のときは静電容量の狙いセンター値をＣ１とし、温度がｔ２℃のときは狙いセンター値をＣ２とする。こうして、常温域（５〜３５℃程度）に渡って、各温度に対応する静電容量の狙いセンター値を求め、温度特性データとして記憶装置２３に記憶させる。
【００２１】
さらに、選別しきい値を算出さるための係数α，βの値も温度特性データとして記憶装置２３に記憶させる。この係数α、βは、被選別コンデンサの仕様によって決められるものであり、百分率（％）で表される。そして、静電容量の狙いセンター値がＣであるときの、上限および下限の選別しきい値Ｃａ，Ｃｂは、係数α，βを用いて以下の（１）式，（２）式で算出される。
Ｃａ＝Ｃ×（１＋α）…（１）
Ｃｂ＝Ｃ×（１―β）…（２）
【００２２】
同様にして、誘電損失や絶縁抵抗についてもそれぞれ、温度毎の狙いセンター値と、選別しきい値を算出するための係数とを、温度特性データとして記憶装置２３に記憶させる。
【００２３】
さて、演算処理装置２２は、温度測定器２１から出力される被選別コンデンサｗの温度データを予め設定された所定のタイミングで読み込む。演算処理装置２２は、静電容量の温度特性データ、誘電体損失の温度特性データ、絶縁抵抗の温度特性データのそれぞれについて、読み込んだ被選別コンデンサｗの温度に対応する前記狙いセンター値と選別しきい値を算出するための係数とを記憶装置から呼び出す。そして、呼び出した狙いセンター値と係数を用いて、前記（１）式および（２）式から上限および下限の選別しきい値を算出し、その数値を自動的に設定する。例えば、被選別コンデンサｗの測定温度がｔ１℃のときには、静電容量の狙いセンター値はＣ１であるから、上限の選別しきい値はＣａ＝Ｃ１×（１＋α）となり、下限の選別しきい値はＣｂ＝Ｃ１×（１―β）となる（図３参照）。
【００２４】
一方、被選別コンデンサｗは、特性測定部１２にて静電容量、誘電損失および絶縁抵抗が測定され、それぞれの測定数値は演算処理装置２２に読み込まれる。演算処理装置２２は、特性測定部１２で測定されたそれぞれの数値が、前記算出した上限および下限の選別しきい値の範囲内であるかどうかを判定し、判定結果を特性選別部１３に伝送する。特性選別部１３は、判定結果に基づいて、測定数値が選別しきい値の範囲内にある被選別コンデンサｗを製品（良品）とし、それ以外のものを不良品として排除する。
【００２５】
なお、被選別コンデンサｗの前記温度の読込みのタイミングやその間隔は、特性測定部１２に供給される被選別コンデンサｗを取り巻く雰囲気温度の変化状態を考慮して決定される。例えば、温度の測定を常時行い、測定された前記温度に応じてリアルタイムで選別しきい値を設定してもよい。あるいは、任意に設定した選別処理数もしくは処理時間内に、任意に設定した回数もしくはスパンで前記温度を測定してもよい。例えば、コンデンサを１０万個選別する間に１万個毎にコンデンサの温度を測定したり、コンデンサ選別装置が１時間稼動する間に１０分毎にコンデンサの温度を測定する。また、測定時間や測定処理数を均等割りする必要はなく、例えばコンデンサ選別装置が１時間稼動する間に、１分毎に１０回、コンデンサの温度を測定するものであってもよい。
【００２６】
次に、得られた測定温度データに対して、平均化や、最大値と最小値を除いた残りのデータの平均化などの統計処理が行われる。統計値は、任意に設定した選別処理数もしくは処理時間内の代表値として扱い、この統計値に基づいて選別しきい値の設定更新を行う。従って、この場合、選別しきい値の設定更新は、任意に設定した選別処理数もしくは処理時間毎に行われることになる。測定温度データの統計処理により、選別しきい値の精度が高くなり、より精度の高い選別を行うことができるようになる。
【００２７】
また、温度特性データを求める際には、図４に示すように、温度特性曲線Ｌ１に基づいて、温度が例えば５℃変化する毎に、狙いセンター値を決定するようにしてもよい。図４では、温度が１５℃以上２０℃未満のときは静電容量の狙いセンター値をＣ１とし、温度が２０℃以上２５℃未満のときは狙いセンター値をＣ２としている。これにより、被選別コンデンサｗの測定温度が例えば２０℃以上２５℃未満の範囲内のときには、静電容量の狙いセンター値はＣ２であるから、上限の選別しきい値はＣａ＝Ｃ２×（１＋α）となり、下限の選別しきい値はＣｂ＝Ｃ２×（１−β）となる。このようにして、選別しきい値を段階的にシフトさせるようにしてもよい。
【００２８】
あるいは、図５に示すように、高温側と低温側とで温度特性の傾きが異なるときには、温度域によってステップ幅を段階的に変化させるようにしてもよい。つまり、変化が小さい領域ではステップ幅を広くとり、変化が大きい領域ではステップ幅を狭くとる。このように、測定温度データに対して予め設定された幅で選別しきい値を段階的にシフトするようにすれば、選別しきい値の設定や演算が簡単化され、それに必要とされる演算処理装置２２等のソフトウエアも簡単化されるとともに、信頼性も向上する。
【００２９】
このような構成を有するコンデンサ選別装置１０にあっては、静電容量の温度特性、誘電損失の温度特性、絶縁抵抗の温度特性のそれぞれについて、被選別コンデンサｗの温度データにそれぞれ対応する狙いセンター値から選別しきい値をそれぞれ設定（更新）し、この設定された選別しきい値に基づいて被選別コンデンサｗを選別するようにしている。従って、従来のコンデンサ選別装置３０（図９参照）のように、温度が厳密に制御された専用ブース３５や部屋および専用の空調設備が不要であり、製品の検査および選別のための設備コストやその維持管理のための運用コストを引き下げることができ、それに伴って製品の単価も大幅に引き下げることが可能になる。
【００３０】
また、周囲温度に影響されないで、コンデンサの選別を行うことができ、前後に熱源をもつ工程と連結しても、簡単な熱遮断の対策を施す程度でよく、工程設計の自由度が大きくなる。さらに、以上の構成により、選別しきい値が自動設定され、測定温度の変化による選別しきい値の設定が自動で行われるため、人手による選別しきい値の設定および更新作業が不要になり、選別工程の自動化を図ることができる。
【００３１】
［第２実施形態、図６〜図８］
本発明に係るコンデンサ選別装置のいま一つの実施形態の構成を図６に示す。該コンデンサ選別装置１０ａは、図１〜図５を参照して説明した第１実施形態のコンデンサ選別装置１０において、温度測定器２１を図７もしくは図８に示すように配置して被選別コンデンサｗの温度を間接測定するようにしたものである。すなわち、図７に示すものでは、特性測定部１２が固定の測定端子Ｔ１とバネ付き測定端子Ｔ２とを備えている。そして、温度測定器２１の熱電対２１ａが、測定端子Ｔ１を支持している機械部品２６に接触して、機械部品２６の温度（言い換えると、測定端子Ｔ１の近傍の温度、従って、測定端子Ｔ１の雰囲気温度であってもよい）を被選別コンデンサｗの温度の代わりに測定している。
【００３２】
また、図８に示すものでは、特性測定部１２が一対の平行配置された測定端子Ｔ１，Ｔ２を備えている。被選別コンデンサｗは、テープ状の搬送用ホルダ２７に整列して配置され、そのリード端子がテーピングされている。一方、温度測定器２１は、赤外線放射温度計が用いられ、測定端子Ｔ１，Ｔ２の温度を被選別コンデンサｗの温度の代わりに測定している。なお、図６において、図１に対応する部分には対応する符号を付して示し、重複した説明は省略する。
【００３３】
このような構成であれば、被選別コンデンサｗの電気特性を測定しながら、前記温度を測定することができるので、測定された前記温度に応じてリアルタイムで選別しきい値を設定することができ、より精度の高い選別が可能となる。さらに、被選別コンデンサｗに温度測定器２１を直接接触させてその温度を測定する必要がなく、温度測定器２１の設置の自由度が高くなる。これにより、コンデンサ選別装置１０ａの設計の自由度も増し、コンデンサ選別装置１０ａの小型化も容易になる。
【００３４】
［他の実施形態］
本発明は前記実施形態に限定するものではなく、その要旨の範囲内で種々に変更することができる。例えば第１実施形態および第２実施形態は、専用のコンピュータシステムを採用することもできるが、市販の安価なパーソナルコンピュータを使用することもできる。
【００３５】
【発明の効果】
以上の説明からも明らかなように、本発明によれば、測定された被選別コンデンサの温度と、コンデンサの温度特性データとに基づいて選別しきい値を設定し、この設定された選別しきい値を基準にしてコンデンサを選別するようにしたので、温度が厳密に制御された専用ブースや部屋および専用の空調設備が不要になり、製品の検査および選別のための設備コストやその維持管理のための運用コストを引き下げることができ、それに伴って製品の単価も大幅に引き下げることが可能になる。
【図面の簡単な説明】
【図１】本発明に係るコンデンサ選別装置の第１実施形態を示す概略構成図。
【図２】図１に示した温度測定器の配置例を示す斜視図。
【図３】コンデンサの静電容量の温度特性と選別しきい値の設定を示すグラフ。
【図４】選別しきい値の設定の変形例を示すグラフ。
【図５】いま一つの選別しきい値の設定の変形例を示すグラフ。
【図６】本発明に係るコンデンサ選別装置の第２実施形態を示す概略構成図。
【図７】図６に示した温度測定器の配置例を示す平面図。
【図８】図６に示した温度測定器のいま一つの配置例を示す平面図。
【図９】従来のコンデンサ選別装置を示す概略構成図。
【符号の説明】
１０，１０ａ…コンデンサ選別装置
１１…整列供給部
１２…特性測定部
１３…特性選別部
２１…温度測定器
２２…演算処理装置
２３…記憶装置
２４…出力装置
ｗ…被選別コンデンサ
Ｔ１，Ｔ２…測定端子
【図１】
0003726656.tif 000002
【図２】
0003726656.tif 000003
【図３】
0003726656.tif 000004
【図４】
0003726656.tif 000005
【図５】
0003726656.tif 000006
【図６】
0003726656.tif 000007
【図７】
0003726656.tif 000008
【図８】
0003726656.tif 000009
【図９】
0003726656.tif 000010